(57)【要約】【課題】変速中のスリップ制御の制御性を向上することが可能な車両用ロックアップクラッチの制御装置を提供する。【解決手段】この車両用ロックアップクラッチ２６の制御装置では、車両減速時の予め定められた車両状態においてロックアップクラッチ２６をスリップさせるスリップ制御を行う。このスリップ制御中において、タービン回転速度ＮＴとエンジン回転速度ＮＥとの実際のスリップ量ＮSが目標スリップ量ＮSTとなるようにフィードバック制御を行うとともに、ダウンシフトが実施される際にはフィードバック制御を中止し、目標回転速度ＮINTに応じたフィードフォワード制御へ切り換えることによって、ロックアップクラッチ２６を所定の係合状態に維持することが可能な係合状態維持油圧（目標油圧）ＰＬＵ２を決定する。【選択図】図１０
2014219030.tif 000002
【特許請求の範囲】
【請求項１】
エンジンと変速機との間に配設された流体伝動装置の入力回転部材と出力回転部材とを直結可能なロックアップクラッチを備え、
車両減速時の予め定められた車両状態において前記ロックアップクラッチをスリップさせるスリップ制御を行う車両用ロックアップクラッチの制御装置であって、
前記スリップ制御中において、前記入力回転部材と前記出力回転部材との実差回転が目標差回転となるようにフィードバック制御を行うとともに、ダウンシフトが実施される際には前記フィードバック制御を中止し、目標回転速度に応じたフィードフォワード制御へ切り換えることによって、前記ロックアップクラッチを所定の係合状態に維持することが可能な係合状態維持油圧を決定することを特徴とする車両用ロックアップクラッチの制御装置。
【請求項２】
請求項１に記載の車両用ロックアップクラッチの制御装置において、
前記目標回転速度から変速による入力回転変化率が取得され、
前記係合状態維持油圧は、（前記変速による入力回転変化率×エンジンイナーシャ）／（ロックアップピストンの面積×ロックアップ摩擦材の有効半径×摩擦材の摩擦係数）から得られるフィードフォワード量に基づいて決定されることを特徴とする車両用ロックアップクラッチの制御装置。
【請求項３】
請求項２に記載の車両用ロックアップクラッチの制御装置において、
前記係合状態維持油圧は、前記フィードフォワード量に、前記ダウンシフトが実施される直前のベース油圧とスリップ保持用補正圧と学習補正圧とが加算されることにより決定されることを特徴とする車両用ロックアップクラッチの制御装置。
【請求項４】
請求項１〜３のいずれか１項に記載の車両用ロックアップクラッチの制御装置において、
前記ダウンシフトが実施された後に前記目標回転速度と実際の回転速度とが所定値以下又は前記変速による入力回転変化率が所定値以下となった場合には、前記フィードフォワード制御を終了した後に、前記入力回転部材と前記出力回転部材との実差回転が目標差回転となるように制御する前記フィードバック制御を再開することを特徴とする車両用ロックアップクラッチの制御装置。
【発明の詳細な説明】
【技術分野】
【０００１】
本発明は、車両用ロックアップクラッチの制御装置に関し、特に、車両減速時の予め定められた車両状態においてロックアップクラッチをスリップさせるスリップ制御を行う車両用ロックアップクラッチの制御装置に関する。
【背景技術】
【０００２】
従来、車両減速時の予め定められた車両状態においてロックアップクラッチをスリップさせるスリップ制御（減速フレックス制御）を行う車両用駆動制御装置（車両用ロックアップクラッチの制御装置）が知られている（例えば、特許文献１参照）。
【０００３】
上記特許文献１では、スリップ制御において、例えば変速出力（油圧回路の切換指令など）から実際に入力軸回転速度が変化し始めるまで（すなわちイナーシャ相が始まるまで）は、フィードバック制御を行い、イナーシャ相が始まったらフィードバック制御を中止して、所定の一定の係合トルクでフィードフォワード制御を行っている。
【０００４】
上記のスリップ制御においては、一般的に予め定められた所定の目標スリップ量（エンジン回転速度とタービン回転速度との差）となるようにフィードバック制御が行われるのに対して、タービン回転速度が比較的急に変化するダウンシフト時には、タービン回転を上昇させる速度に対する応答性が悪いため、フィードバック制御を中止して、所定の一定の係合トルクでフィードフォワード制御を行っている。
【先行技術文献】
【特許文献】
【０００５】
【特許文献１】特開２００５−０９８５２２号公報
【発明の概要】
【発明が解決しようとする課題】
【０００６】
しかしながら、上記特許文献１には、ダウンシフト時にはスリップ制御の応答性が悪いため、フィードバック制御をフィードフォワード制御へ切り換えて所定の一定の係合トルクで制御する点が記載されている一方で、フィードフォワード制御においてダウンシフト時の変速に伴う回転イナーシャ変化分が考慮されていないため、変速中のスリップ制御の制御性が低下するという問題点があると考えられる。
【０００７】
本発明は、上記課題に鑑みてなされたものであって、変速中のスリップ制御の制御性を向上することが可能な車両用ロックアップクラッチの制御装置を提供することを目的としている。
【課題を解決するための手段】
【０００８】
上述の課題を解決するための手段として、本発明による車両用ロックアップクラッチの制御装置は、以下のように構成されている。
【０００９】
すなわち、本発明による車両用ロックアップクラッチの制御装置は、エンジンと変速機との間に配設された流体伝動装置の入力回転部材と出力回転部材とを直結可能なロックアップクラッチを備え、車両減速時の予め定められた車両状態において前記ロックアップクラッチをスリップさせるスリップ制御を行う構成を前提とするものである。また、本発明による車両用ロックアップクラッチの制御装置は、前記スリップ制御中において、前記入力回転部材と前記出力回転部材との実差回転が目標差回転となるようにフィードバック制御を行うとともに、ダウンシフトが実施される際には前記フィードバック制御を中止し、目標回転速度に応じたフィードフォワード制御へ切り換えることによって、前記ロックアップクラッチを所定の係合状態に維持することが可能な係合状態維持油圧を決定することを特徴とするものである。
【００１０】
かかる構成を備える車両用ロックアップクラッチの制御装置によれば、フィードバック制御を行う場合と異なり、目標回転速度に応じたフィードフォワード制御により実際の変速よりも前もって油圧指示を上昇させておくことができるので、ダウンシフト中の目標スリップ量と実際のスリップ量との差が回転イナーシャ変化分に応じて大きくなることに起因して、スリップ制御の追従性が悪化するのを抑制することができる。この結果、変速中のスリップ制御の制御性を向上することができる。
【００１１】
本発明の具体的な構成として、以下の複数のものが挙げられる。
【００１２】
本発明による車両用ロックアップクラッチの制御装置において、好ましくは、前記目標回転速度から変速による入力回転変化率が取得され、前記係合状態維持油圧は、（前記変速による入力回転変化率×エンジンイナーシャ）／（ロックアップピストンの面積×ロックアップ摩擦材の有効半径×摩擦材の摩擦係数）から得られるフィードフォワード量に基づいて決定されることを特徴とする。このように構成すれば、フィードバック制御を行う場合と異なり、変速による入力回転変化率を指標にすることにより実際の変速よりも前もって油圧指示を上昇させておくことができるので、ダウンシフトが実施された際の係合状態維持油圧をフィードフォワード量に基づいて容易に決定することができる。
【００１３】
この場合、好ましくは、前記係合状態維持油圧は、前記フィードフォワード量に、前記ダウンシフトが実施される直前のベース油圧とスリップ保持用補正圧と学習補正圧とが加算されることにより決定されることを特徴とする。このように構成すれば、ダウンシフトが実施される直前の補正圧等を用いてダウンシフト後（変速中）の係合状態維持油圧を決定することができる。
【００１４】
また、本発明による車両用ロックアップクラッチの制御装置において、好ましくは、前記ダウンシフトが実施された後に前記目標回転速度と実際の回転速度とが所定値以下又は前記変速による入力回転変化率が所定値以下となった場合には、前記フィードフォワード制御を終了した後に、前記入力回転部材と前記出力回転部材との実差回転が目標差回転となるように制御する前記フィードバック制御を再開することを特徴とする。このように構成すれば、ダウンシフト補正が終了したことを容易に判断できるとともに、フィードフォワード制御から入力回転部材と出力回転部材との実差回転が目標差回転となるように制御するフィードバック制御に切り換えることができる。
【発明の効果】
【００１５】
上記のように、本発明による車両用ロックアップクラッチの制御装置によれば、変速中のスリップ制御の制御性を向上することができる。
【図面の簡単な説明】
【００１６】
【図１】本発明の車両用ロックアップクラッチの制御装置を備えている車両用駆動装置の骨子図である。
【図２】図１の車両用駆動装置の制御系統を説明するブロック図である。
【図３】図１の車両用駆動装置が備えるベルト式無段変速機の変速制御において目標回転速度を求める際に用いられる変速マップの一例を示す図である。
【図４】図１の車両用駆動装置が備えている油圧制御回路の要部であって、ロックアップクラッチの制御に関する油圧制御回路部分の一例を示す図である。
【図５】図２の電子制御装置に備えられた制御機能の要部を説明する機能ブロック図である。
【図６】図１の車両用駆動装置が備えるロックアップクラッチの作動状態を、アクセルＯＦＦの車両減速時に制御するときに用いられる減速時ロックアップクラッチ切換マップの一例を示す図である。
【図７】図１の車両用駆動装置で実行される減速フレックス制御におけるロックアップクラッチ係合油圧、エンジン回転速度及びタービン回転速度の変化を表したタイムチャートである。
【図８】図１の車両用駆動装置で実行される減速フレックス制御において用いられる指示油圧である減速ロックアップ油圧の内訳を説明するためのイメージ図である。
【図９】ダウンシフト中における減速フレックス制御圧補正を示すタイミングチャートである。
【図１０】図２の電子制御装置の制御作動の要部、すなわち、減速フレックス制御を実行する制御作動を説明するためのフローチャートである。
【発明を実施するための形態】
【００１７】
以下、本発明に係る車両用ロックアップクラッチの制御装置の実施形態について、図面を参照して説明する。
【００１８】
図１は、本発明が適用された車両用駆動装置１０の骨子図である。この車両用駆動装置１０は横置き型であって、ＦＦ（フロントエンジン・フロントドライブ）型車両に好適に採用されるものである。図１に示すように車両用駆動装置１０は、走行用の動力源としてエンジン１２と、流体伝動装置であるトルクコンバータ１４と、前後進切換装置１６と、ベルト式無段変速機（ＣＶＴ）１８とを備えている。内燃機関にて構成されているエンジン１２の出力は、エンジン１２のクランク軸１３、トルクコンバータ１４から前後進切換装置１６、入力軸３６、ベルト式無段変速機１８、減速歯車装置２０を介して差動歯車装置２２に伝達され、左右の駆動輪２４Ｌ、２４Ｒへ分配される。トルクコンバータ１４、前後進切換装置１６、自動変速機としてのベルト式無段変速機１８などにより動力伝達機構が構成されている。
【００１９】
エンジン１２の吸気配管３１には、図示しないスロットルアクチュエータを用いてエンジン１２の吸入空気量を電気的に制御するための電子スロットル弁８０が備えられている。電子制御装置６０（図２参照）により、運転者の出力要求量を表すアクセル操作量ＡCCなどに応じて電子スロットル弁８０の開閉制御及び燃料噴射制御等が行われることによりエンジン１２の出力が増減制御される。
【００２０】
トルクコンバータ１４は、エンジン１２とベルト式無段変速機１８との間に配設された流体伝動装置であって、エンジン１２のクランク軸１３に連結された入力回転部材としてのポンプ翼車１４ｐと、タービン軸３４を介して前後進切換装置１６に連結された出力回転部材としてのタービン翼車１４ｔとを備えており、流体を介して動力伝達を行うようになっている。
【００２１】
また、トルクコンバータ１４はそれらのポンプ翼車１４ｐ及びタービン翼車１４ｔの間にロックアップクラッチ２６を備えている。そのロックアップクラッチ２６は、ポンプ翼車１４ｐとタービン翼車１４ｔとを直結可能な摩擦係合装置であり、油圧制御回路８６（図２参照）のロックアップコントロール弁などによって係合側油室１５及び解放側油室１７に対する油圧供給が切り換えられることにより、係合又は解放されるようになっている。例えばロックアップクラッチ２６が油圧制御により直結状態（完全係合状態）にされれば、それによりポンプ翼車１４ｐ及びタービン翼車１４ｔは一体回転させられる。すなわち、ロックアップクラッチ２６が直結状態とされることによって、エンジン１２とベルト式無段変速機１８との間は、前後進切換装置１６において動力伝達経路が成立させられる場合には実質的に直結されたことになる。ポンプ翼車１４ｐには、ベルト式無段変速機１８を変速制御したりベルト挟圧力を発生させたり、或いは各部に潤滑油を供給したりするための油圧を発生する機械式のオイルポンプ２８が設けられている。なお、本実施例においてロックアップクラッチ２６の係合状態とは、直結状態だけを意味するものではなく、ロックアップクラッチ２６のスリップ状態から直結状態までの作動状態を意味するものである。
【００２２】
前後進切換装置１６は、ダブルピニオン型の遊星歯車装置を主体として構成されており、トルクコンバータ１４のタービン軸３４はサンギヤ１６ｓに一体的に連結され、ベルト式無段変速機１８の入力軸３６はキャリア１６ｃに一体的に連結されている一方、キャリア１６ｃとサンギヤ１６ｓは前進用クラッチＣ１を介して選択的に連結され、リングギヤ１６ｒは後進用ブレーキＢ１を介してハウジングに選択的に固定されるようになっている。前進用クラッチＣ１及び後進用ブレーキＢ１は断続装置に相当するもので、何れも油圧シリンダによって摩擦係合させられる油圧式摩擦係合装置であり、前進用クラッチＣ１が完全係合させられるとともに後進用ブレーキＢ１が解放されることにより、前後進切換装置１６は一体回転状態とされて前進用動力伝達経路が成立（達成）させられ、前進方向の駆動力がベルト式無段変速機１８側へ伝達される。一方、後進用ブレーキＢ１が完全係合させられるとともに前進用クラッチＣ１が解放されると、前後進切換装置１６によって後進用動力伝達経路が成立（達成）させられ、入力軸３６はタービン軸３４に対して逆方向へ回転させられるようになり、後進方向の駆動力がベルト式無段変速機１８側へ伝達される。また、前進用クラッチＣ１及び後進用ブレーキＢ１が共に解放されると、前後進切換装置１６は動力伝達を遮断するニュートラル（遮断状態）になる。
【００２３】
ベルト式無段変速機１８は、入力軸３６に設けられた入力側部材である有効径が可変の入力側可変プーリ４２と、出力軸４４に設けられた出力側部材である有効径が可変の出力側可変プーリ４６と、それらの可変プーリ４２、４６に巻き掛けられた伝動ベルト４８とを備えており、可変プーリ４２、４６と伝動ベルト４８との間の摩擦力を介して動力伝達が行われる。可変プーリ４２及び４６は、入力軸３６及び出力軸４４にそれぞれ固定された固定回転体４２ａ及び４６ａと、入力軸３６及び出力軸４４に対して軸まわりの相対回転不能かつ軸方向の移動可能に設けられた可動回転体４２ｂ及び４６ｂと、それらの間のＶ溝幅を変更するための推力を付与する入力側油圧シリンダ４２ｃ及び出力側油圧シリンダ４６ｃとを備えて構成されており、入力側可変プーリ４２の油圧シリンダ４２ｃの油圧が制御されることにより、両可変プーリ４２、４６のＶ溝幅が変化して伝動ベルト４８の掛かり径（有効径）が変更され、変速比γ（＝入力軸回転速度ＮIN／出力軸回転速度ＮOUT）が連続的に変化させられる。また、出力側可変プーリ４６の油圧シリンダ４６ｃの油圧は、ベルト滑りが生じない所定の挟圧力で伝動ベルト４８が挟圧されるように制御される。
【００２４】
図２は、図１のエンジン１２やトルクコンバータ１４のロックアップクラッチ２６、ベルト式無段変速機１８などを制御するために車両に設けられた制御系統を説明するブロック図で、電子制御装置６０には、エンジン回転速度センサ６２、タービン回転速度センサ６４、入力軸回転速度センサ６５、車速センサ６６、アイドルスイッチ付きスロットルセンサ６８、冷却水温センサ７０、ＣＶＴ油温センサ７２、アクセル操作量センサ７４、フットブレーキスイッチ７６、レバーポジションセンサ７８、エアコンスイッチ９２などが接続されている。
【００２５】
また、電子制御装置６０には、エンジン１２の回転速度（エンジン回転速度）ＮＥ、タービン軸３４の回転速度（タービン回転速度）ＮＴ、入力軸３６の回転速度（入力軸回転速度）ＮIN、車速Ｖ、電子スロットル弁８０の全閉状態（アイドル状態）及びその開度（スロットル弁開度）θTH、エンジン１２の冷却水温ＴW、ベルト式無段変速機１８やロックアップクラッチ２６等の油圧制御回路８６の油温（作動油温）ＴCVT、アクセルペダル９４等のアクセル操作部材の操作量（アクセル開度）ＡCC、常用ブレーキであるフットブレーキの操作の有無、シフトレバー７７のレバーポジション（操作位置）ＰSH、エアコンの作動の有無などを表す信号が供給されるようになっている。
【００２６】
タービン回転速度ＮＴは、前進用クラッチＣ１が完全係合させられた前進走行時には入力軸回転速度ＮINと一致し、車速Ｖはベルト式無段変速機１８の出力軸４４の回転速度（出力軸回転速度）ＮOUTに対応する。また、アクセル操作量ＡCCは運転者の出力要求量を表している。また、ベルト式無段変速機１８やロックアップクラッチ２６等の油圧制御回路８６の作動油は、オイルポンプ２８から供給され、前後進切換装置１６とベルト式無段変速機１８とロックアップクラッチ２６とを潤滑する潤滑油として、及び、トルクコンバータ１４内の作動油としても用いられる。
【００２７】
シフトレバー７７は、駐車のためのパーキング位置「Ｐ」や後進走行のためのリバース位置「Ｒ」、動力伝達を遮断するニュートラル位置「Ｎ」、前進走行のためのドライブ位置「Ｄ」、前進走行時にベルト式無段変速機１８の変速比γを手動操作で増減できるマニュアル位置「Ｍ」、等へ択一的に操作されるようになっている。マニュアル位置「Ｍ」には、更に変速比γを増減するためのダウンシフト位置やアップシフト位置、或いは変速範囲の上限（変速比γが小さい側）が異なる複数の変速レンジを選択できる複数のレンジ位置等が備えられている。
【００２８】
そして、レバーポジションセンサ７８は、たとえばパーキング位置「Ｐ」、リバース位置「Ｒ」、ニュートラル位置「Ｎ」、ドライブ位置「Ｄ」、マニュアル位置「Ｍ」やアップシフト位置、ダウンシフト位置、或いはレンジ位置等へシフトレバー７７が操作されたことを検出する複数のＯＮ、ＯＦＦスイッチ等を有して構成されている。なお、変速比γを手動操作で変更するために、シフトレバー７７とは別にステアリングホイール等にダウンシフトスイッチやアップシフトスイッチ、或いはレバー等を設けることも可能である。
【００２９】
電子制御装置６０は、ＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより、エンジン１２の出力制御やベルト式無段変速機１８の変速制御、ベルト挟圧力制御、ロックアップクラッチ２６の係合、解放制御、などを実行するようになっており、必要に応じてエンジン制御用と変速制御用とに分けて構成される。
【００３０】
エンジン１２の出力制御は電子スロットル弁８０、燃料噴射装置８２、点火装置８４などによって行われ、ベルト式無段変速機１８の変速制御、ベルト挟圧力制御、及びロックアップクラッチ２６の係合、解放制御は、何れも油圧制御回路８６によって行われる。油圧制御回路８６は、電子制御装置６０により励磁されて油路を開閉するソレノイド弁や油圧制御を行うリニアソレノイド弁、それらのソレノイド弁から出力される信号圧に従って油路を開閉したり油圧制御を行ったりする開閉弁、調圧弁などを備えて構成されている。
【００３１】
ベルト式無段変速機１８の変速制御については、電子制御装置６０は、例えば図３に示すように運転者の出力要求量を表すアクセル操作量ＡCC及び車速Ｖをパラメータとして予め定められた変速マップから入力側の目標回転速度ＮINTを算出し、実際の入力軸回転速度ＮINが目標回転速度ＮINTと一致するように、それらの偏差に応じて無段変速機１８の変速制御、すなわち入力側可変プーリ４２の油圧シリンダ４２ｃに対する作動油の供給、排出によって変速制御圧ＰBELTが制御され、変速比γが連続的に変化させられる。図３に示す変速マップは変速条件に相当するもので、車速Ｖが小さくアクセル操作量ＡCCが大きい程大きな変速比γになる目標回転速度ＮINTが設定されるようになっている。また、車速Ｖは出力軸回転速度ＮOUTに対応するため、入力軸回転速度ＮINの目標値である目標回転速度ＮINTは目標変速比に対応し、無段変速機１８の最小変速比γminと最大変速比γmaxの範囲内で定められている。
【００３２】
ロックアップクラッチ２６を係合解放する基本制御では、例えば入力トルクに対応するスロットル弁開度θTH及び車速Ｖをパラメータとした基本切換マップ（切換条件）が予め記憶されており、その基本切換マップは、低車速域に設けられたロックアップクラッチ２６を解放状態（ロックアップオフ）とする解放領域と、高車速域に設けられたロックアップクラッチ２６を直結状態（ロックアップオン）とするロックアップ領域と、その解放領域とロックアップ領域との間であって低スロットル弁開度域に設けられたロックアップクラッチ２６をスリップ状態とするフレックス領域（スリップ領域）とに領域分けされている。そして、ロックアップクラッチ２６の基本制御では、基本切換マップに従って、実際のスロットル弁開度θTH及び車速Ｖで表される車両状態が解放領域とロックアップ領域とフレックス領域との何れの領域に属するかによって、ロックアップクラッチ２６が解放状態、直結状態、又はスリップ状態に切り換えられる。
【００３３】
また、減速走行時、すなわちアクセルペダル９４が踏込み操作されていないアクセルＯＦＦで惰性走行（コースト走行）する前進走行時において、ロックアップクラッチ２６を係合（直結又はスリップ）することで駆動輪２４側からの逆入力をエンジン１２側へ直接伝達することにより、エンジン回転速度ＮＥを車両８の減速に従って緩やかに減少させ、それにより、エンジン１２に対する燃料供給を停止するフューエルカット領域（車速範囲）を拡大する。エンジン１２は、燃費を向上させるために、スロットル弁開度θTHが零のアイドル状態での減速走行時に、所定車速以上で燃料噴射装置８２による燃料供給を停止するフューエルカット制御が行われるようになっている。
【００３４】
図４は、油圧制御回路８６のうちロックアップクラッチ２６を係合解放制御するロックアップ制御回路２００を示す回路図で、ロックアップコントロールバルブ２０２を備えている。ロックアップコントロールバルブ２０２は、第１調圧弁からライン圧ＰＬ２が供給される一対の第１ライン圧ポート２０４及び第２ライン圧ポート２０６、トルクコンバータ１４の係合側油室１５に接続された係合側ポート２０８、トルクコンバータ１４の解放側油室１７に接続された解放側ポート２１０、ロックアップ係合圧制御用ソレノイドバルブＤＳＵから出力される係合信号圧ＰＤＳＵが供給される信号圧ポート２１２を備えている。そして、その係合信号圧ＰＤＳＵが信号圧ポート２１２に供給されると、スプール２１４が中心線より右側半分に示すようにスプリング２１６の付勢力に抗して下方へ移動させられたＯＮ状態になり、第１ライン圧ポート２０４と係合側ポート２０８とが連通させられ、ロックアップクラッチ係合油圧ＰＬＵが係合側油室１５へ供給されるとともに、解放側ポート２１０がドレーンポート２１８に連通させられることにより、解放側油室１７内の作動油がドレーンされ、ロックアップクラッチ２６が係合（ＯＮ）させられる。
【００３５】
ロックアップ係合圧制御用ソレノイドバルブＤＳＵは、ＯＦＦ（非励磁）では係合信号圧ＰＤＳＵの出力を停止するが、係合信号圧ＰＤＳＵを出力する励磁状態では、電子制御装置６０から出力されるロックアップ油圧指令値ＳPLUに従って励磁電流がデューティ制御されることにより、係合信号圧ＰＤＳＵを連続的に変化させる。また、ロックアップコントロールバルブ２０２は、ロックアップクラッチ係合油圧ＰＬＵが供給されるフィードバック油室２２０を備えており、そのロックアップクラッチ係合油圧ＰＬＵが係合信号圧ＰＤＳＵと釣り合うようにスプール２１４が移動させられる。これにより、係合信号圧ＰＤＳＵすなわちロックアップ油圧指令値ＳPLUに応じてロックアップクラッチ係合油圧ＰＬＵを連続的に制御することが可能で、そのロックアップクラッチ係合油圧ＰＬＵに応じてロックアップクラッチ２６の係合トルクすなわち係合力が連続的に変化させられる。本実施例ではロックアップ係合圧制御用ソレノイドバルブＤＳＵのソレノイドが、ロックアップクラッチ２６の係合油圧（ロックアップクラッチ係合油圧ＰＬＵに対応）を連続的に変化させるソレノイドである。
【００３６】
一方、ロックアップ係合圧制御用ソレノイドバルブＤＳＵがＯＦＦ（非励磁）となり、係合信号圧ＰＤＳＵの出力が停止させられると、ロックアップコントロールバルブ２０２は、中心線より左側半分に示すようにスプリング２１６の付勢力に従ってスプール２１４が上方へ移動させられて原位置に保持されるＯＦＦ状態になる。これにより、第２ライン圧ポート２０６と解放側ポート２１０とが連通させられ、ライン圧ＰＬ２が解放側油室１７へ供給されるとともに、係合側ポート２０８が排出ポート２２２に連通させられることにより、係合側油室１５内の作動油が排出ポート２２２から排出され、ロックアップクラッチ２６が解放（ＯＦＦ）される。排出ポート２２２から排出された作動油は、オイルクーラー２２４を経てオイルパン等へ戻されるようになっており、そのオイルクーラー２２４により作動油が冷却されるようになっている。なお、余剰の作動油は、クーラーバイパス弁２２６からオイルパン等へ戻される。
【００３７】
また、ロックアップコントロールバルブ２０２には、ロックアップソレノイドバルブＳＬの出力油圧ＰＳＬが供給されるバックアップポート２２８が設けられており、その出力油圧ＰＳＬが供給されると、係合信号圧ＰＤＳＵの供給に拘らずロックアップコントロールバルブ２０２をＯＦＦ状態に維持してロックアップクラッチ２６を強制的に解放する。ロックアップソレノイドバルブＳＬはＯＮ−ＯＦＦソレノイドバルブで、ライン圧ＰＬをそのまま出力油圧ＰＳＬとして出力するものであり、例えば発進停止時等の低車速時に油圧ＰＳＬを出力することにより、ロックアップ係合圧制御用ソレノイドバルブＤＳＵのＯＮフェール等によりロックアップクラッチ２６が係合してエンジンストールが発生することを防止できる。
【００３８】
図５は、電子制御装置６０に備えられた制御機能の要部を説明する機能ブロック図である。図５に示すように、電子制御装置６０は、車両状態判断部としての車両状態判断手段１００と、ロックアップクラッチ制御部としてのロックアップクラッチ制御手段１０２と、減速フレックス制御用油圧学習部としての減速フレックス制御用油圧学習手段１０８と、減速ロックアップ制御用油圧決定部としての減速ロックアップ制御用油圧決定手段１１０とを備えている。そして、ロックアップクラッチ制御手段１０２は、減速フレックス制御部としての減速フレックス制御手段１０４と、減速ロックアップ制御部としての減速ロックアップ制御手段１０６とを備えている。
【００３９】
車両状態判断手段１００は、アクセルＯＦＦの車両減速時において、車両状態に基づいてロックアップクラッチ２６を解放状態とスリップ状態と直結状態との何れの作動状態にすべきかを判断する。そのために、車両状態判断手段１００は、実験的に設定された図６に示すような減速時ロックアップクラッチ切換マップを予め記憶している。その減速時ロックアップクラッチ切換マップは、高車速側から順に、ロックアップクラッチ２６が直結状態とされる後述の減速ロックアップ制御が実行される減速ロックアップ制御領域と、ロックアップクラッチ２６がスリップ状態とされる後述の減速フレックス制御（スリップ制御）が実行される減速フレックス制御領域と、ロックアップクラッチ２６が解放状態とされるロックアップクラッチ解放領域とに領域分けされている。
【００４０】
減速フレックス制御領域は、エンストが生じ易くなる低車速域に設定されている。車両状態判断手段１００は、現在の車速Ｖに基づき減速時ロックアップクラッチ切換マップから、ロックアップクラッチ２６を何れの作動状態にすべきかを判断する。すなわち、車両状態判断手段１００は、現在の車速Ｖで表される車両状態が、減速ロックアップ制御領域と減速フレックス制御領域とロックアップクラッチ解放領域との何れに属するかを判断する。
【００４１】
ロックアップクラッチ制御手段１０２は、図５に示すように、ロックアップクラッチ２６の係合制御及び解放制御を実行するものであり、例えば、車両状態判断手段１００により車速Ｖがロックアップクラッチ解放領域に属すると判断された場合にはロックアップクラッチ２６を解放させる。また、アクセルペダル９４（図２参照）が踏み込まれたときには、基本切換マップに従ってロックアップクラッチ２６を係合解放する基本制御を実行する。更に、ロックアップクラッチ制御手段１０２は、車両状態判断手段１００により車速Ｖが減速フレックス制御領域又は減速ロックアップ制御領域に属すると判断された場合にロックアップクラッチ２６を作動させるための減速フレックス制御手段１０４と減速ロックアップ制御手段１０６とを備えている。
【００４２】
本実施形態では、減速フレックス制御手段１０４は、車両減速時の予め定められた車両状態においてロックアップクラッチ２６をスリップさせる減速フレックス制御（スリップ制御）を実行する。その車両減速時の予め定められた車両状態とは、アクセルＯＦＦの車両減速時において車速Ｖが減速フレックス制御領域に属する車両状態である。すなわち、減速フレックス制御手段１０４は、車両状態判断手段１００により車速Ｖが図６の減速フレックス制御領域に属すると判断された場合に、減速フレックス制御を実行する。
【００４３】
減速フレックス制御手段１０４は、その減速フレックス制御ではロックアップクラッチ２６をスリップさせるのであるが、具体的には、ロックアップクラッチ２６をスリップさせるために図７のタイムチャートに示すようにロックアップクラッチ係合油圧ＰＬＵを変化させる。図７は、減速フレックス制御におけるタービン回転速度ＮＴ、エンジン回転速度ＮＥ、及びロックアップクラッチ係合油圧ＰＬＵの変化を表したタイムチャートである。
【００４４】
図７（ａ）に示すように、減速フレックス制御手段１０４は、減速フレックス制御を開始する場合には、先ず、ロックアップクラッチ係合油圧ＰＬＵを初期油圧ＰＬＵ１にする。その初期油圧ＰＬＵ１は、ロックアップクラッチ２６を確実に直結状態とできる範囲内で可及的に低い値に実験的に設定されている。そのため、ロックアップクラッチ係合油圧ＰＬＵが初期油圧ＰＬＵ１である間は、図７（ｂ）に示すように、ロックアップクラッチ２６が直結状態とされエンジン回転速度ＮＥがタービン回転速度ＮＴに一致している。
【００４５】
また、減速フレックス制御手段１０４は、図７（ａ）に示すように、ロックアップクラッチ係合油圧ＰＬＵを初期油圧ＰＬＵ１にした後、ロックアップクラッチ係合油圧ＰＬＵを予め定められた目標油圧ＰＬＵ２に向けて所定の低下率で低下させる。そして、ロックアップクラッチ係合油圧ＰＬＵが目標油圧ＰＬＵ２にまで低下すると、タービン回転速度ＮＴとエンジン回転速度ＮＥとの実際のスリップ量ＮS（＝ＮＴ−ＮＥ）（又はポンプ翼車１４ｐとタービン翼車１４ｔとの実差回転であってもよい）を逐次算出し、そのフィードバック制御によりその実際のスリップ量ＮS（実差回転）が所定の目標スリップ量ＮST（目標差回転）となるようにロックアップクラッチ係合油圧ＰＬＵを逐次調節する。要するに、減速フレックス制御手段１０４は、減速フレックス制御において、ロックアップクラッチ２６を所定のスリップ状態に維持するフィードバック制御を行う。
【００４６】
上記の目標油圧ＰＬＵ２は、本発明の係合状態維持油圧に対応し、後述するように減速フレックス制御の実行毎に減速フレックス制御用油圧学習手段１０８によって更新決定されるパラメータである。従って、減速フレックス制御手段１０４は、減速フレックス制御の開始に先立って減速フレックス制御用油圧学習手段１０８に目標油圧ＰＬＵ２を決定させ、前回の減速フレックス制御に基づき更新決定された目標油圧ＰＬＵ２を取得した上で、減速フレックス制御を開始する。
【００４７】
例えば、ベルト式無段変速機１８における変速比の変化速度が緩やかな場合や、有段変速機における一定ギヤ段での減速中の場合においては、減速フレックス制御用油圧学習手段１０８は、減速フレックス制御におけるロックアップクラッチ係合油圧ＰＬＵのフィードバック制御中において、減速フレックス制御でロックアップクラッチ２６を所定の係合状態に維持できる係合状態維持油圧（目標油圧）ＰＬＵ２を学習（更新）する油圧学習制御を行う。上記の所定の係合状態とは、実際のスリップ量ＮSが目標スリップ量ＮSTとなるロックアップクラッチ２６の係合状態のことである。この係合状態維持油圧（目標油圧）ＰＬＵ２は、図８（ａ）に示すように、ベース油圧ＰBと、スリップ保持用補正圧ＰSと、学習補正圧ＰLNとの和で構成されている。
【００４８】
ベース油圧ＰBは、現在のエンジン回転速度ＮＥから決定されるフィードフォワード圧であり、エンジン１２の回転抵抗（フリクショントルク）とエアコン用コンプレッサやオルタネータ等の補機の負荷トルクとロックアップ制御回路２００内の油圧バルブ等の油圧特性から定まる油温補正量とに基づいて定められる。また、ベース油圧ＰBは、スリップ量ＮSが目標スリップ量ＮSTとなるようにするフィードバック制御において、ロックアップクラッチ係合油圧ＰＬＵが早期に収束するように且つロックアップクラッチ２６が解放状態にならないように実験的に予め定められている。なお、ベース油圧ＰBは、定数であってもよいが、エンジン回転速度ＮＥが高くなるほどフリクショントルク及び補機の負荷トルクは大きくなるので、予め実験的に設定された関係に基づいて、減速フレックス制御用油圧学習手段１０８により、次回の減速フレックス制御の開始時（開始直前）にその時のエンジン回転速度ＮＥが高いほど大きく設定される。
【００４９】
スリップ保持用補正圧ＰSは、減速フレックス制御用油圧学習手段１０８による油圧学習制御において、実際のスリップ量ＮS（＝ＮＴ−ＮＥ）を逐次算出し、そのフィードバック制御によりその実際のスリップ量ＮSが所定の目標スリップ量ＮSTとなるようにロックアップクラッチ係合油圧ＰＬＵを逐次調節するフィードバック圧である。なお、スリップ保持用補正圧ＰSの初期値は、車両用駆動装置１０の形式毎に適宜定められて良いが、例えば零である。また、学習補正圧ＰLNは、車両用駆動装置１０（ベルト式無段変速機１８）の個体差（ばらつき）や経時劣化を補正するように予め実験的に設定されている。
【００５０】
上記のように、ベルト式無段変速機１８における変速比の変化速度が緩やかな場合においては、スリップ保持用補正圧（フィードバック圧）ＰSにより目標スリップ量ＮSTへの追従性が確保されている。しかし、フィードバック制御は、目標スリップ量ＮSTと実際のスリップ量ＮSとのズレを検知以降でないと、係合状態維持油圧（目標油圧）ＰＬＵ２の増減を実施することができない点、及び、係合状態維持油圧（目標油圧）ＰＬＵ２の増減を実施しても実際のロックアップクラッチ係合油圧ＰＬＵが増減する応答時間があるため、変速中にスリップ量ＮSをフィードバック制御で安定してコントロールすることが困難となる。特に、減速フレックス制御中におけるダウンシフトの実施によりベルト式無段変速機１８における変速比の変化速度が急な場合においてはその影響が顕著となる。
【００５１】
このため、本実施形態では、減速フレックス制御中にダウンシフトが実施される場合には、フィードバック制御を停止してフィードフォワード制御に切り換えることにより、変速（ダウンシフト）によるエンジン回転イナーシャ上昇分を係合状態維持油圧（目標油圧）ＰＬＵ２に補正して、変速中のスリップ制御の制御性を向上させている。なお、エンジン回転イナーシャ上昇分とは、変速前の変速段（変速比）の回転数と要求される変速段（変速比）の回転数との偏差に応じて変化する区間におけるタービン回転速度ＮＴ（入力軸回転速度ＮIN）の変化分（増加分）のことであり、ダウンシフト時にはタービン回転速度ＮＴ（入力軸回転速度ＮIN）は増加する。
【００５２】
換言すると、減速フレックス制御中にダウンシフトが実施される前では、スリップ保持用補正圧ＰSに基づいて係合状態維持油圧（目標油圧）ＰＬＵ２が決定される。これに対して、減速フレックス制御中にダウンシフトが実施される場合では、スリップ保持用補正圧ＰSに換えてダウンシフト等の変速に伴うＬ／Ｕ油圧補正量ＰFに基づいて、最終出力としての係合状態維持油圧（目標油圧）ＰＬＵ２が決定される。なお、Ｌ／Ｕ油圧補正量ＰFは、本発明の「フィードフォワード量」に対応しており、変速に伴うエンジン回転イナーシャ分を補正する油圧（補正量）のことである。
【００５３】
具体的には、減速フレックス制御中にダウンシフトが実施される場合では、図８（ｂ）に示すように、係合状態維持油圧（目標油圧）ＰＬＵ２は、ベース油圧ＰBと、スリップ保持用補正圧ＰSと、学習補正圧ＰLNと、Ｌ／Ｕ油圧補正量ＰFとの和で構成されている。なお、ベース油圧ＰB、スリップ保持用補正圧ＰS及び学習補正圧ＰLNは、上記した減速フレックス制御中にダウンシフトが実施される前に取得された補正量である。
【００５４】
また、変速に伴うＬ／Ｕ油圧補正量ＰF（変速に伴うエンジン回転イナーシャ分を補正する油圧）は、（変速による入力回転変化率×エンジンイナーシャ）／（ロックアップピストンの面積×ロックアップ摩擦材の有効半径×摩擦材の摩擦係数）の算出式から取得される。なお、変速に伴うＬ／Ｕ油圧補正量ＰFは、逐次計算を実施して取得してもよいし、予め計算結果をマップ化したものを用いて取得してもよい。
【００５５】
変速による入力回転変化率とは、後述するようにダウンシフトが実施されてから油圧補正が終了するまでの間のベルト式無段変速機１８の変速中の目標回転速度ＮCHの所定時間当たりの時間変化率ＮCHTに対応している。エンジンイナーシャとは、中心回転軸の円板(ドライブプレート等)のエンジン慣性モーメントのことであり、エンジン慣性モーメントＩ（ｋｇｍ2）＝Ｍａ2（なお、Ｍ：質量（ｋｇ）、ａ：半径（ｍ））により示される。また、ロックアップピストンの面積、ロックアップ摩擦材の有効半径及び摩擦材の摩擦係数は、設計時に決定されるハード諸元値である。
【００５６】
次に、図９を参照して、減速フレックス制御中にダウンシフトが発生する場合のフィードフォワード制御についてタイミングチャートを用いて説明する。図９の横軸は時間［ｓｅｃ］を示しており、縦軸は車速、変速後の目標回転速度ＮINT、変速中の目標回転速度ＮCH、タービン回転速度ＮＴ、エンジン回転速度ＮＥ、変速比（入力軸回転速度ＮIN）、Ｌ／Ｕ（ロックアップ）油圧補正実行フラグ、変速中の目標回転速度ＮCHの時間変化率ＮCHT、Ｌ／Ｕ油圧補正量、Ｆ／Ｂ（フィードバック）実行フラグ、及び、係合状態維持油圧（最終出力）を示している。
【００５７】
まず、減速走行時にアクセルペダル９４が踏込み操作されていない（アクセルＯＦＦ）で惰性走行（コースト走行）する前進走行時において、ダウンシフトが実施される前までは、実際のスリップ量ＮS（＝ＮＴ−ＮＥ）を逐次算出し、そのフィードバック制御によりその実際のスリップ量ＮSが所定の目標スリップ量ＮSTとなるように係合状態維持油圧（目標油圧）ＰＬＵ２を決定（ロックアップクラッチ係合油圧ＰＬＵを逐次調節）するフィードバック制御が行われる。
【００５８】
そして、ダウンシフトが実施された場合には、Ｌ／Ｕ油圧補正実行フラグがＯＮとなるとともに、Ｆ／Ｂ実行フラグがＯＦＦとなる。ダウンシフトが実施されると、運転者の出力要求量を表すアクセル操作量ＡCC及び車速Ｖをパラメータとして予め定められた変速マップから変速後の目標回転速度ＮINTが設定される（破線部分）。また、変速後の目標回転速度ＮINTに基づいて、変速中の目標回転速度ＮCHが取得される（二点鎖線部分）。なお、ダウンシフトが実施されてから油圧補正が終了するまでの間においては、目標回転速度ＮCH、タービン回転速度ＮＴ及びエンジン回転速度ＮＥは、それぞれ上昇する。
【００５９】
次に、変速中の目標回転速度ＮCHに基づいて、変速中の目標回転速度ＮCHの時間変化率ＮCHT（入力回転変化率）が取得される。このとき、変速中の目標回転速度ＮCHの変化が大きい領域（ダウンシフト実施直後）では時間変化率ＮCHTが大きくなるとともに、変速後の目標回転速度ＮCHの変化が小さい領域（油圧補正終了直前）では時間変化率ＮCHTが小さくなる。
【００６０】
また、変速中の目標回転速度ＮCHの時間変化率ＮCHTに基づいて、Ｌ／Ｕ油圧補正量ＰF（変速に伴うエンジン回転イナーシャ分を補正する油圧）が取得される。具体的には、Ｌ／Ｕ油圧補正量ＰFは、上記した算出式（変速による入力回転変化率×エンジンイナーシャ）／（ロックアップピストンの面積×ロックアップ摩擦材の有効半径×摩擦材の摩擦係数）に、時間変化率ＮCHT（入力回転変化率）を代入して算出することにより取得される。本実施形態では、Ｌ／Ｕ油圧補正量ＰFは、変速中の目標回転速度ＮCHの時間変化率ＮCHTの増減量と略一致（対応）している。
【００６１】
また、ダウンシフトが実施された場合の係合状態維持油圧（目標油圧）ＰＬＵ２は、ダウンシフト実施前の係合状態維持油圧（目標油圧）ＰＬＵ２（図９の波線部分）に、Ｌ／Ｕ油圧補正量ＰF（変速に伴うエンジン回転イナーシャ分を補正する油圧）が加算されたものである。すなわち、ダウンシフトが実施された場合の係合状態維持油圧（目標油圧）ＰＬＵ２は、ダウンシフト実施直前のベース油圧ＰBとスリップ保持用補正圧ＰSと学習補正圧ＰLNとの和に、Ｌ／Ｕ油圧補正量ＰFが加算されたものである。
【００６２】
また、油圧補正終了後は、フィードフォワード制御をフィードバック制御に切り換えて（戻して）、ダウンシフト実施前の油圧学習制御と同様に、実際のスリップ量ＮS（＝ＮＴ−ＮＥ）を逐次算出し、そのフィードバック制御によりその実際のスリップ量ＮSが所定の目標スリップ量ＮSTとなるように係合状態維持油圧（目標油圧）ＰＬＵ２を決定（ロックアップクラッチ係合油圧ＰＬＵを逐次調節）する制御が行われる。
【００６３】
減速ロックアップ制御手段１０６は、車両状態判断手段１００により車速Ｖが図６の減速ロックアップ制御領域に属すると判断された場合に、車両減速時にロックアップクラッチ２６を係合させることによりポンプ翼車１４ｐとタービン翼車１４ｔとを直結する減速ロックアップ制御を実行する。一方で、車両状態判断手段１００により車速Ｖが図６の減速ロックアップ制御領域に属するとの判断が否定された場合には、減速ロックアップ制御を終了する。すなわち、ロックアップクラッチ２６の直結状態を終了させる。
【００６４】
具体的に減速ロックアップ制御手段１０６（図５参照）は、減速ロックアップ制御では、ロックアップクラッチ係合油圧ＰＬＵを減速ロックアップ油圧ＰDECにして、それによりロックアップクラッチ２６を直結状態にする。ここで、減速ロックアップ油圧ＰDECは、後述するように減速ロックアップ制御の実行中に減速ロックアップ制御用油圧決定手段１１０によって逐次決定され更新されるパラメータである。従って、減速ロックアップ制御手段１０６は、減速ロックアップ制御の実行中に減速ロックアップ制御用油圧決定手段１１０に減速ロックアップ油圧ＰDECを逐次決定させる。そして、減速ロックアップ制御手段１０６は、ロックアップクラッチ係合油圧ＰＬＵを逐次更新される減速ロックアップ油圧ＰDECにして、ロックアップクラッチ２６に対する油圧出力をロックアップ制御回路２００に行わせる。
【００６５】
次に、図１０を参照して、減速フレックス制御中にダウンシフトが実施される場合の制御についてフローチャートに基づいて説明する。
【００６６】
まず、ステップＳＴ１において、減速フレックス制御中であるか否かを判定し、減速フレックス制御中ではない場合（否定判定：Ｎｏ）には、制御を終了する。また、ステップＳＴ１において、減速フレックス制御中であると判定した場合（肯定判定：Ｙｅｓ）には、ステップＳＴ２に処理を進める。
【００６７】
ステップＳＴ２において、Ｆ／Ｂ（フィードバック）制御を開始する。ステップＳＴ２では、減速フレックス制御中において、ダウンシフトが実施される前の状態で、例えばベルト式無段変速機１８における変速比の変化速度が比較的緩やかな場合においては、実際のスリップ量ＮS（＝ＮＴ−ＮＥ）を逐次算出し、そのフィードバック制御によりその実際のスリップ量ＮSが所定の目標スリップ量ＮSTとなるように係合状態維持油圧（目標油圧）ＰＬＵ２を決定する制御を行う。その後、ステップＳＴ３に処理を進める。
【００６８】
ステップＳＴ３において、ダウンシフト補正開始条件が成立したか否かを判定する。このステップＳＴ３では、運転者がブレーキを踏むことにより目標回転速度ＮINTの変更、降坂制御、ブレーキングダウンシフトなどのＡＩ制御開始が行われたか否かを判定する。そして、ステップＳＴ３において、ダウンシフト補正開始条件が成立していないと判定した場合（否定判定：Ｎｏ）には、ステップＳＴ２に処理を戻す。ステップＳＴ３において、ダウンシフト補正開始条件が成立したと判定した場合（肯定判定：Ｙｅｓ）には、ステップＳＴ４に処理を進める。
【００６９】
ステップＳＴ４において、Ｆ／Ｂ（フィードバック）制御を停止する。すなわち、フィードバック制御によりその実際のスリップ量ＮSが所定の目標スリップ量ＮSTとなるように係合状態維持油圧（目標油圧）ＰＬＵ２を決定する制御を停止し、ステップＳＴ５に処理を進める。
【００７０】
ステップＳＴ５において、目標回転速度ＮINTに応じたＬ／Ｕ油圧補正量ＰF（エンジン回転イナーシャ分を補正する油圧）を加算する。すなわち、上記したベルト式無段変速機１８の変速中の目標回転速度ＮCHの時間変化率ＮCHT（入力回転変化率）を用いて、（変速による入力回転変化率×エンジンイナーシャ）／（ロックアップピストンの面積×ロックアップ摩擦材の有効半径×摩擦材の摩擦係数）を算出することにより、Ｌ／Ｕ油圧補正量ＰF（エンジン回転イナーシャ分を補正する油圧）を取得する。そして、取得されたＬ／Ｕ油圧補正量ＰFを、ダウンシフト実施直前に取得されたベース油圧ＰBとスリップ保持用補正圧ＰSと学習補正圧ＰLNとの和に加算することにより、係合状態維持油圧（目標油圧）ＰＬＵ２が取得される。そして、ステップＳＴ６に処理を進める。
【００７１】
ステップＳＴ６において、ダウンシフト補正終了条件が成立したか否かが判定される。このステップＳＴ６では、変速後の目標回転速度ＮINTとタービン回転速度ＮＴとの差が所定値（しきい値）以下となる場合、又は、変速中の目標回転速度ＮCHの変化率が所定値（しきい値）以下となる場合にダウンシフト補正終了条件が成立したと判定される。そして、ステップＳＴ６において、ダウンシフト補正終了条件が成立していないと判定した場合（否定判定：Ｎｏ）には、ステップＳＴ５に処理を戻す。また、ステップＳＴ６において、ダウンシフト補正終了条件が成立したと判定した場合（肯定判定：Ｙｅｓ）には、ステップＳＴ７に処理を進める。
【００７２】
ステップＳＴ７において、Ｆ／Ｂ（フィードバック）制御が再開される。このステップＳＴ７では、上記したステップＳＴ２と同様の処理が行われる。
【００７３】
以上説明したように、本実施形態による車両用ロックアップクラッチの制御装置によれば、以下に列記するような効果が得られる。
【００７４】
本実施形態では、上記のように、タービン回転速度ＮＴとエンジン回転速度ＮＥとの実際のスリップ量ＮS（＝ＮＴ−ＮＥ）（ポンプ翼車１４ｐとタービン翼車１４ｔとの実差回転）が目標スリップ量ＮST（目標差回転）となるようにフィードバック制御を行うとともに、スリップ制御中にダウンシフトが実施される際にフィードバック制御を中止し、目標回転速度ＮINTに応じたフィードフォワード制御へ切り換えることにより、ロックアップクラッチ２６を所定の係合状態に維持可能な係合状態維持油圧（目標油圧）ＰＬＵ２を決定する。これにより、フィードバック制御を行う場合と異なり、目標回転速度ＮINTに応じたフィードフォワード制御により実際の変速よりも前もって油圧指示を上昇させておくことができるので、ダウンシフト中の実際のスリップ量ＮSと目標スリップ量ＮSTとの差が回転イナーシャ変化分に応じて大きくなることに起因して、スリップ制御の追従性が悪化するのを抑制することができる。この結果、変速中のスリップ制御の制御性を向上することができる。
【００７５】
また、本実施形態では、上記のように、係合状態維持油圧（目標油圧）ＰＬＵ２を、（変速による入力回転変化率×エンジンイナーシャ）／（ロックアップピストンの面積×ロックアップ摩擦材の有効半径×摩擦材の摩擦係数）から得られるＬ／Ｕ油圧補正量ＰF（フィードフォワード量）に基づいて決定する。これにより、フィードバック制御を行う場合と異なり、変速中の目標回転速度ＮCHの時間変化率ＮCHTを指標にすることにより実際の変速よりも前もって油圧指示を上昇させておくことができるので、ダウンシフトが実施された際の係合状態維持油圧（目標油圧）ＰＬＵ２をＬ／Ｕ油圧補正量ＰF（フィードフォワード量）に基づいて容易に決定することができる。
【００７６】
また、本実施形態では、上記のように、係合状態維持油圧（目標油圧）ＰＬＵ２を、Ｌ／Ｕ油圧補正量ＰF（フィードフォワード量）にダウンシフトが実施される直前のベース油圧ＰBとスリップ保持用補正圧ＰSと学習補正圧ＰLNとを加算することにより決定する。これにより、ダウンシフトが実施される直前の補正圧等を用いてダウンシフト後（変速中）の係合状態維持油圧（目標油圧）ＰＬＵ２を決定することができる。
【００７７】
また、本実施形態では、上記のように、ダウンシフトが実施された後に目標回転速度ＮINTとタービン回転速度ＮＴとが所定値以下又は変速中の目標回転速度ＮCHの時間変化率ＮCHTが所定値以下となった場合には、フィードフォワード制御を終了した後に、タービン回転速度ＮＴとエンジン回転速度ＮＥとの実際のスリップ量ＮS（実差回転）が目標スリップ量ＮST（目標差回転）となるように制御するフィードバック制御を再開する。これにより、ダウンシフト補正が終了したことを容易に判断できるとともに、フィードフォワード制御から実際のスリップ量ＮSが目標スリップ量ＮSTとなるように制御するフィードバック制御に切り換えることができる。
【００７８】
−他の実施形態−
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００７９】
たとえば、上記実施形態では、変速中の目標回転速度ＮCHから時間変化率ＮCHTを取得して係合状態維持油圧を決定する例を示したが、本発明はこれに限られない。本発明では、目標回転速度に応じたフィードフォワード制御へ切り換えて係合状態維持油圧を決定することが可能であれば、変速中の目標回転速度ＮCHから時間変化率ＮCHTを取得して係合状態維持油圧を決定する以外の取得方法でもよい。
【００８０】
また、上記実施形態では、（変速による入力回転変化率×エンジンイナーシャ）／（ロックアップピストンの面積×ロックアップ摩擦材の有効半径×摩擦材の摩擦係数）から得られるフィードフォワード量に基づいて係合状態維持油圧を決定する例を示したが、上記以外の算出式を用いて係合状態維持油圧を決定してもよい。
【産業上の利用可能性】
【００８１】
本発明は、車両用ロックアップクラッチの制御装置に利用することができ、より詳しくは、車両減速時の予め定められた車両状態においてロックアップクラッチをスリップさせるスリップ制御を行う車両用ロックアップクラッチの制御装置に利用することができる。
【符号の説明】
【００８２】
１  変速機ケース
８  車両
１２  エンジン
１４  トルクコンバータ（流体伝動装置）
１４ｐ  ポンプ翼車（入力回転部材）
１４ｔ  タービン翼車（出力回転部材）
１８  ベルト式無段変速機（無段変速機）
２６  ロックアップクラッチ
６０  電子制御装置（制御装置）
【図１】
2014219030.tif 000003
【図２】
2014219030.tif 000004
【図３】
2014219030.tif 000005
【図４】
2014219030.tif 000006
【図５】
2014219030.tif 000007
【図６】
2014219030.tif 000008
【図７】
2014219030.tif 000009
【図８】
2014219030.tif 000010
【図９】
2014219030.tif 000011
【図１０】
2014219030.tif 000012